(57)【要約】【課題】  ２つの板状部品が所定角度で交差する交差部分に用いることにより、簡単に当該角度を固定することができる角度固定釘を提供する。【解決手段】  木材に打ち込む曲がり面状釘１０であって、釘の頂部を構成し、中央部３ａおよび該中央部の両側へ連続する両側部３ｂを持つ釘基部３と、釘基部から打ち込み方向に突き出す突出部５とを備え、両側部の一方の側部と他方の側部とは、互いに角度をなすように配置されており、また、突出部は、中央部から面状に突き出す中央突出部５ａと、一方の側部から面状に突き出す一方の側部突出部５ｂと、他方の側部から面状に突き出す他方の側部突出部５ｂとを持ち、両方の側部突出部は、中央突出部に、連続しているか、または離れていることを特徴とする。【選択図】        図１
2009138881.tif 000002
【特許請求の範囲】
【請求項１】
木材に打ち込む曲がり面状釘であって、
前記釘の頂部を構成し、中央部および該中央部の両側へ連続する両側部を持つ釘基部と、
前記釘基部から打ち込み方向に突き出す突出部とを備え、
前記両側部の一方の側部と他方の側部とは互いに角度をなすように配置されており、
前記突出部は、前記中央部から面状に突き出す中央突出部と、前記一方の側部から面状に突き出す一方の側部突出部と、他方の側部から面状に突き出す他方の側部突出部とを持ち、前記両方の側部突出部は、前記中央突出部に、連続しているか、または離れていることを特徴とする、角度固定釘。
【請求項２】
前記中央部は、前記両側部が中央部側に延長され、前記両側部がなす角度を曲がる曲がり部を含むように形成され、前記中央突出部はその曲がり部を含んで突出していることを特徴とする、請求項１に記載の角度固定釘。
【請求項３】
前記突出部は、先側ほど厚みが薄くなるようなテーパが付いていることを特徴とする、請求項１または２に記載の角度固定釘。
【請求項４】
前記釘基部と、前記突出部の先端との間の距離が、一定であるか、または前記中央部で最大であることを特徴とする、請求項１〜３のいずれかに記載の角度固定釘。
【請求項５】
金属板から一体成形加工によって形成されていることを特徴とする、請求項１〜４のいずれかに記載の角度固定釘。
【請求項６】
請求項１〜５のいずれかの角度固定釘が用いられたことを特徴とする、木工製品。
【発明の詳細な説明】
【技術分野】
【０００１】
本発明は、角度固定釘および木工製品に関し、より具体的には木工製品の部材が角度をもって交差する交差部において、その部材同士の角度を固定するのに用いられる角度固定釘および木工製品に関するものである。
【背景技術】
【０００２】
木工製品などにおいては、板同士が一定の角度で交差して外壁を形成する構造が用いられることが多い。とくにデザイン性を重視する壁固定の収納棚など、たとえば蜂の巣状の６角形を基本とする飾り異形収納壁などにおいては、背板を介在させて設けられた棚の外板は他の外板と１２０°で交差し、その交差部で終端し接合される構造が多用される。角度１２０°でなく、デザイン性を重視して他の角度、たとえば４５°１３５°、３０°、１５０°などの角度の交差接合部も数多くある。
【０００３】
上記のように板部材が所定の角度をもって交差することを可能にする構造は数多く知られている。たとえば、古来より木造建築に用いられる伝統的な木組みの工法は、凹凸を形成した板端部同士を組むものであるが、美観に優れ、かつ耐久性にも富んでいる。また、２枚の屈曲した金属板で挟んで、通常の釘やねじで固定する方法も、強固に２枚の板の交差角を保持することができる。この他、隅木または谷木の組立において、１３５°の角度で折れ曲がる金具が開示されている（特許文献１）。この金具によれば、所定の角度で木材部品同士を接続することができる。この金具は、通常の釘を用いて、一方の木材部品に金具を固定する構造が採用されている。一方、金具を用いることなく、広義に釘と解釈されるような金属部品により２つの木材部品を接続可能なものとして、コ字状の釘の提案がなされている（特許文献２）。
【特許文献１】特開２００２−２４２３１６号公報
【特許文献２】登録実用新案第３１２５８９９号
【発明の開示】
【発明が解決しようとする課題】
【０００４】
上記の伝統的な木組み工法、屈曲金属板および金具は、しかしながら、板の接続に多大の工数を要し、簡単に木材部品同士を接続することができない。また、上記の飾り壁収納箱のように交差部も含めて、交差部の板側面（飾り壁収納箱の正面）に装飾性の高いシートを粘着して仕上げる場合に、表面に凸凹が生じ、使い勝手がよくない。さらに、上記のコ字状の釘は、木口側から当該釘を簡単に打ち込むことはできるが、角度を変えようとする力に抗する効果は非常に小さく、角度固定力が弱い欠点を有する。
【０００５】
本発明は、２つの板状部品が所定角度で交差する交差部分に用いることにより、簡単に当該角度を確実に固定することができる角度固定釘およびそれを用いた木工製品を提供することを目的とする。
【課題を解決するための手段】
【０００６】
本発明の角度固定釘は、木材に打ち込む曲がり面状釘であって、釘の頂部を構成し、中央部および該中央部の両側へ連続する両側部を持つ釘基部と、釘基部から打ち込み方向に突き出す突出部とを備える。そして、両側部の一方の側部と他方の側部とは、互いに角度をなすように配置されており、また、突出部は、中央部から面状に突き出す中央突出部と、一方の側部から面状に突き出す一方の側部突出部と、他方の側部から面状に突き出す他方の側部突出部とを持ち、両方の側部突出部は、中央突出部に、連続しているか、または離れていることを特徴とする。
【０００７】
上記の構成により、両側部がなす角度を木材の２つの部品が交差してなす「交差角付近」にしておけば、交差部の側面から両側の側部突出部のそれぞれが２つの部品の一方および他方に重なるような配置で、釘として打ち込むことができ、それによって、交差部の角度を、簡単にかつ強固に固定することができる。上記説明において、両側部がなす角度を、厳密に交差角度に一致させないで、「交差角付近」としたのは、上記２つの部品は厚みを有するので、角度を厳密に一致させなくても、上記目的を達する上で、ある程度の角度の幅が許容されるからである。
【０００８】
上記の中央部は、両側部が中央部側に延長され、両側部がなす角度を曲がる曲がり部を含むように形成され、中央突出部はその曲がり部を含んで突出している形状にすることができる。これによって、上記板材の交差部における角度固定を一段と強固に行うことができる。
【０００９】
上記の突出部は、先側ほど厚みが薄くなるようなテーパが付いていてもよい。これによって、突出部を木工製品の部品に打ち込むのが容易になる。
【００１０】
上記の釘基部と、突出部の先端との間の距離が、一定であるか、または中央部で最大である形状をとることができる。これによって、この角度固定釘を木材部品に打ち込んだ後、釘基部は木材部品の表面から凸状に出る部分がなくなり、面を平坦にすることができる。このため、この角度固定釘を打ち込んだ後、大きな工数を加えることなく、仕上げテープを粘着して仕上げることができる。
【００１１】
上記の角度固定釘を、金属板から一体成形加工によって形成することができる。これによって、釘という汎用部品を安価に製造することができる。
【００１２】
本発明の木工製品は、上記のいずれかの角度固定釘が用いられたものであることを特徴とする。これによって、簡単にデザイン性に優れた木工製品を安価に得ることが可能になる。
【発明の効果】
【００１３】
本発明の角度固定釘によれば、２つの板部材が所定角度で交差する交差部分に用いることにより、簡単に当該角度を確実に固定することができる。
【発明を実施するための最良の形態】
【００１４】
図１は、本発明の実施の形態における角度固定釘１０を示す斜視図である。また、図２は、図１に示す角度固定釘１０の平面図である。角度固定釘１０は、釘基部３と、突出部５とから構成される。釘基部３は、中央部３ａと両側部３ｂとを有す、また突出部５は、中央突出部５ａと一方および他方の側部突出部（以下、両側突出部と記す）５ｂとを有する。図１の角度固定釘１０では、中央部３ａおよび中央突出部５ａは、曲がり部Ｂを含む形態となっている。曲がり部Ｂは、板と板とが交差した直平面交差的な曲がり部であってもよいし、曲面状に湾曲した曲がり部であってもよい。釘基部の厚みは、用いられる木材部品の厚みによるが、０．５ｍｍ〜２．０ｍｍ程度とするのがよく、釘基部の突き出し方向の幅（高さ）は、釘基部の厚みの数倍程度で、５ｍｍ以下、より好ましくは３ｍｍ以下とするのがよい。
【００１５】
釘基部３は、所定値以上の剛性を持ち、角度固定の機能を釘基部３単独でも持つようにするのが好ましい。また釘基部の中央部の中央位置から側部の端までの長さは、用いられる木材部品の長さや厚みに依存する。また、突出部の突き出し長さも、木材部品の形状に依存するが、通常、３ｍｍ〜２５ｍｍ程度とするのがよい。中央突出部５ａは、角度固定について、角度固定釘１０の剛性を高めるので、大きな効果を持つが、両側突出部５ｂはその効果は限定的である。
【００１６】
図１および図２に示す角度固定釘１０は、曲がり部Ｂの角度が１２０°の場合であるが、この角度は、用いる木工製品に応じてどのような角度でもよい。図１および図２に示す角度固定釘１０の飾り壁収納箱に用いた例を次に示す。図３は、飾り壁収納箱５０の正面図であり、図４は側面図である。図４に示す背板１９は壁に固定され、箱外板１１はその背板１９に、立つように背後側の端面を固定される。そして、図示しない室内に面する側の交差部の当接面同士を接着剤で接着したのち、交差部の側面（収納箱正面）において、両方の箱外板１１に角度固定釘１０を打ち込み、２つの箱外板１１が交差する角度１２０°を固定する。そして、釘基部３が箱外板１１の端面と同じ面に至るまで打ち込んだあと、角度固定釘１０を打ち込んだ当該端面に仕上げテープ（図示せず）を粘着してデザイン性を高める。
【００１７】
上記の角度固定釘１０の使用の仕方によれば、木口に凸凹の木組み構造を形成するまでもなく、非常に簡単に角度を固定することができる。そして、角度固定釘１０を完全に打ち込んだあと、特別な加工工程を経ることなく仕上げテープにより簡単に室内雰囲気を調整することができる。したがって、たとえば接続用板状品を交差部の両側の木材部品に複数のねじや釘で固定した場合に生じる凸凹面の処理は必要なく、非常に簡単に仕上げをすることができる。このような飾り壁収納箱５０に類似する家具、陳列棚は、一般家庭やショッピング店に膨大に存在するので、上記の角度固定釘１０を用いることによって、多大の工数の節約、デザイン性の向上を推進することができる。さらに、上記の角度固定釘１０は、帯鋼や薄鋼板を打ち抜き加工などすることにより得ることができる形状である。したがって、角度固定釘１０自体、非常に安価に入手することができる。図５は、図４の飾り壁収納箱に類似し、やはり曲がり部Ｂにおいて１２０°の曲がり角度を持つ角度固定釘１０を用いる木工製品５０を例示する図である。
【００１８】
次に、図６〜図９に、本発明の角度固定釘１０の一連の変形例を示す。図６に示す角度固定釘１０は、突出部５ａ，５ｂの先端に刃（エッジ）を設けたものである。このエッジによって、木材への打ち込みを容易にすることができる。図７は、中央突出部５ａと、両側突出部５ｂとが離れており、間にスペースがあいている例を示す図である。図７に示す角度固定釘１０では、角度固定作用は、ほとんど中央突出部５ａと釘基部の中央部３ａによって行われる。図７に示す角度固定釘１０は、木工製品の木材部品の長さが長大な場合、角度固定釘１０の作用を確実に得る場合に有用である。
【００１９】
図８は、中央部３ａおよび中央突出部５ａに曲がり部がない場合の角度固定釘１０を例示する斜視図である。また図９は、その平面図である。この場合、中央部３ａおよび中央突出部３ｂは、板状である。このような角度固定釘１０は、飾り壁収納箱の箱外板の交差部を装飾性を高めるために、丸みを帯びた弧状の交差部とする場合に有効である。すなわち、その箱外板の交差部の弧形状に忠実に沿わせることなく、図９から感知されるように、徐々に一方の側から中央部を経て、他方の側へと向きを変えることができる。
【００２０】
（その他の実施の形態）
１．曲がり部の角度は、１２０°に限定されず、３５°、４５°、９０°、１３５°、１４５°など、どのような角度であってもよい。
２．突出部の先端のエッジの形態は、どのようなものでもよい。ナイフ状、のこぎり状、などどのようなものでもよい。
３.中央部は、平坦面であってもよいし、平面が交差して形成された曲がり部を含んでもよいし、また徐々に曲がる湾曲状の曲がり部を含んでもよい。また、釘頂部の側部と、側部突出部とが形成する面は、通常は平面であるが、緩やかな曲面であってもよい。
【００２１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２２】
本発明の角度固定釘によれば、高度のデザイン性が要求される壁取り付けの飾り収納箱などに蜂の巣構造などを適用でき、このためデザイン重視の家具、陳列棚などの分野に多くの用途が開けることが期待される。
【図面の簡単な説明】
【００２３】
【図１】本発明の実施の形態における角度固定釘を示す斜視図である。
【図２】図１に示す角度固定釘の平面図である。
【図３】本発明の角度固定釘を用いた木工製品である壁取り付けの飾り収納箱の正面図である。
【図４】図３の飾り収納箱の側面図である。
【図５】飾り収納箱の別の例を示す図である。
【図６】図１の角度固定釘の変形例を示す斜視図である。
【図７】さらに別の角度固定釘の変形例を示す斜視図である。
【図８】図７と異なる角度固定釘の変形例の斜視図である。
【図９】図８の角度固定釘の平面図である。
【符号の説明】
【００２４】
３  釘基部、３ａ  中央部（釘基部）、３ｂ  側部（釘基部の両側部）、５  突出部、５ａ  中央突出部、５ｂ  側部突出部（両側突出部）、１０  角度固定釘、１１  箱外板、１９  背板、５０  飾り収納箱。
【図１】
2009138881.tif 000003
【図２】
2009138881.tif 000004
【図３】
2009138881.tif 000005
【図４】
2009138881.tif 000006
【図５】
2009138881.tif 000007
【図６】
2009138881.tif 000008
【図７】
2009138881.tif 000009
【図８】
2009138881.tif 000010
【図９】
2009138881.tif 000011